(57)【特許請求の範囲】
【請求項１】
電子機器のハウジング本体が複数のハウジング要素を組み合わせることによって形成されており、これらのハウジング要素が位置決めピンによって位置決めされている場合に適用されるハウジング本体の位置決め装置であって、
該位置決め装置は、位置決めされる一方のハウジング要素に形成されている位置決めピンと、位置決めされる他方のハウジング要素に形成されている位置決め穴とによって構成されており、前記位置決めピンの内部には前記ハウジング本体に対して取り付けられる他の外装部品固定用のビス穴が前記位置決めピンの基端側端面から所定の深さに亘って形成されていることを特徴とするハウジング本体の位置決め装置。
【請求項２】
請求項１において、前記外装部品固定用のビス穴は、前記位置決めピンの内部に形成される射出成形における肉盗み用の空洞を利用して設けられていることを特徴とするハウジング本体の位置決め装置。
【請求項３】
請求項１または２において、前記位置決めピンが形成されている一方のハウジング要素は、電子機器本体の前面、左右の側面及び後面を構成すると共に底面の一部が開口されたハウジングミドル部であり、前記位置決め穴が形成されている他方のハウジング要素は前記ハウジングミドル部の開口された底面の一部を閉塞するハウジングロア部であることを特徴とするハウジング本体の位置決め装置。
【請求項４】
記録装置のハウジング本体が複数のハウジング要素を組み合わせることによって形成されており、これらのハウジング要素が位置決めピンによって位置決めされている場合に適用されるハウジング本体の位置決め装置を備えた記録装置であって、
前記ハウジング本体の位置決め装置は請求項１〜３のいずれか１項に記載したハウジング本体の位置決め装置であることを特徴とする記録装置。
【請求項５】
液体噴射装置のハウジング本体が複数のハウジング要素を組み合わせることによって形成されており、これらのハウジング要素が位置決めピンによって位置決めされている場合に適用されるハウジング本体の位置決め装置を備えた液体噴射装置であって、
前記ハウジング本体の位置決め装置は、位置決めされる一方のハウジング要素に形成されている位置決めピンと、位置決めされる他方のハウジング要素に形成されている位置決め穴とによって構成されており、前記位置決めピンの内部には前記ハウジング本体に対して取り付けられる他の外装部品固定用のビス穴が前記位置決めピンの基端側端面から所定の深さに亘って形成されていることを特徴とする液体噴射装置。
【発明の詳細な説明】
【技術分野】
【０００１】
本発明は、電子機器のハウジング本体が複数のハウジング要素を組み合わせることによって形成されており、これらのハウジング要素が位置決めピンによって位置決めされている場合に適用されるハウジング本体の位置決め装置及び該ハウジング本体の位置決め装置を備えた記録装置に関する。  
更に本発明はインク等の液体をそのヘッドから吐出（噴射）して被記録材（被液体噴射材）に記録を実行する（液体を付着する）インクジェット式記録装置などの液体噴射装置及び該液体噴射装置に対して設けられるハウジング本体の位置決め装置に関するものである。
【０００２】
ここで液体噴射装置とは、インクジェット式記録ヘッドが用いられ、該記録ヘッドからインクを吐出して被記録材に記録を行なうプリンタ、プロッタ、複写機及びファクシミリ等の記録装置に限らず、インクに代えてその用途に対応する液体を前記記録ヘッドに相当する液体噴射ヘッドから被記録材に相当する被液体噴射材に噴射して、前記液体を前記被液体噴射材に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【背景技術】
【０００４】
電子機器の外観を構成するハウジング本体は一体成形品として成形される場合の他、個別に成形された複数のハウジング要素を組み合わせることによって単一のハウジング本体を形成する場合がある。そして、後者の場合には組み合わせるハウジング要素間の位置決めを行うため、一方のハウジング要素に形成されている位置決めピンを利用して上記ハウジング要素間の位置決めを行っている。そして、上記位置決めピンの性格からも明らかなように位置決めピンには高い外径寸法精度が要求されており、該高い外径寸法精度を達成するために位置決めピンの内部には成形時の樹脂のヒケを防止する目的で肉盗み用の空洞が形成される。一方、ハウジング本体には外装部品が後付けされる場合があり、外装部品を後付けする場合にはハウジング本体に対して外装部品固定用のビス穴を別途設けなければならず、ハウジング本体成形時の成形加工工数を増大させていた。
【０００５】
このような問題点は、下記の特許文献１に示すようなインクジェットプリンタにおいても生じており、インクジェットプリンタのハウジング本体がハウジング要素であるハウジングミドル部と、他のハウジング要素であるハウジングロア部とによって構成されている場合において、ハウジングミドル部とハウジングロア部の接合部位に設けられている位置決めピン及び上記ハウジングミドル部に対して形成される外装部品固定用のビス穴の成形の際にも問題になっている。
【０００６】
【特許文献１】特開２００２−０１９２２９号公報
【発明の開示】
【発明が解決しようとする課題】
【０００７】
本発明は、位置決めピンの位置決めに使用されない内部空間の有効利用を通じて外装部品の固定手段としての別途の機能を付加すると共に、ハウジング本体成形時の成形加工工数の削減し、位置決めピンの外径寸法精度の向上にも寄与し得るハウジング本体の位置決め装置及び該ハウジング本体の位置決め装置を備えた記録装置等を提供することを課題とするものである。
【課題を解決するための手段】
【０００８】
上記課題を解決するために本発明の第１の態様に係るハウジング本体の位置決め装置は、電子機器のハウジング本体が複数のハウジング要素を組み合わせることによって形成されており、これらのハウジング要素が位置決めピンによって位置決めされている場合に適用されるハウジング本体の位置決め装置であって、該位置決め装置は、位置決めされる一方のハウジング要素に形成されている位置決めピンと、位置決めされる他方のハウジング要素に形成されている位置決め穴とによって構成されており、前記位置決めピンの内部には前記ハウジング本体に対して取り付けられる他の外装部品固定用のビス穴が前記位置決めピンの基端側端面から所定の深さに亘って形成されていることを特徴とするものである。
【０００９】
本発明の第１の態様によれば、一方のハウジング要素に形成されている位置決めピンが他方のハウジング要素に形成されている位置決め穴と嵌合することによって実行されるハウジング要素間の位置決めを行う機能に加えて、他の外装部品の固定手段としての機能を兼ねることが可能となり、部品の有効利用を図ることができる。
【００１０】
本発明の第２の態様に係るハウジング本体の位置決め装置は、前記第１の態様において、前記外装部品固定用のビス穴は前記位置決めピンの内部に形成される射出成形における肉盗み用の空洞を利用して設けられていることを特徴とするものである。
【００１１】
本発明の第２の態様によれば、位置決めピンの内部に形成される射出成形における肉盗み用の空洞の有効利用を図ることができ、ハウジング本体に対して形成される他の外装部品固定用のビス穴の数を少なくして、ハウジング本体成形時の成形加工工数の削減と、ハウジング本体の機械的強度の向上とを図ることができる。
【００１２】
本発明の第３の態様に係るハウジング本体の位置決め装置は、前記第１の態様または第２の態様において、前記位置決めピンが形成されている一方のハウジング要素は電子機器本体の前面、左右の側面及び後面を構成すると共に底面の一部が開口されたハウジングミドル部であり、前記位置決め穴が形成されている他方のハウジング要素は前記ハウジングミドル部の開口された底面の一部を閉塞するハウジングロア部であることを特徴とするものである。
【００１３】
本発明の第３の態様によれば、ハウジングミドル部とハウジングロア部を組み合わせることによって構成されるハウジング本体において、ハウジングミドル部とハウジングロア部の高い位置合わせ精度と、上述したハウジング本体成形時の成形加工工数の削減と、部品の有効利用とを図ることが可能となる。
【００１４】
本発明の第４の態様に係る記録装置は、記録装置のハウジング本体が複数のハウジング要素を組み合わせることによって形成されており、これらのハウジング要素が位置決めピンによって位置決めされている場合に適用されるハウジング本体の位置決め装置を備えた記録装置であって、前記ハウジング本体の位置決め装置は前記第１の態様から第３の態様のいずれかのハウジング本体の位置決め装置であることを特徴とするものである。
【００１５】
本発明の第４の態様によれば、位置決めピンの位置決めに使用されない内部空間の有効利用を通じて他の外装部品の固定手段としての別途の機能を兼ねると共に、ハウジング本体成形時の成形加工工数の削減と、ハウジング本体の機械的強度の向上とを図り、位置決めピンの外径寸法精度の向上にも寄与し得るハウジング本体の位置決め装置を備えた記録装置を提供することが可能になる。
【００１６】
本発明の第５の態様に係る液体噴射装置は、液体噴射装置のハウジング本体が複数のハウジング要素を組み合わせることによって形成されており、これらのハウジング要素が位置決めピンによって位置決めされている場合に適用されるハウジング本体の位置決め装置を備えた液体噴射装置であって、前記ハウジング本体の位置決め装置は、位置決めされる一方のハウジング要素に形成されている位置決めピンと、位置決めされる他方のハウジング要素に形成されている位置決め穴とによって構成されており、前記位置決めピンの内部には前記ハウジング本体に対して取り付けられる他の外装部品固定用のビス穴が前記位置決めピンの基端側端面から所定の深さに亘って形成されていることを特徴とするものである。
【発明を実施するための最良の形態】
【００１７】
以下、本願発明に係るハウジング本体の位置決め装置及び該ハウジング本体の位置決め装置を備えた液体噴射装置の一例である記録装置について説明する。最初に本願発明の液体噴射装置、そしてその一例である記録装置を実施するための最良の形態としてインクジェットプリンタ１００を採り上げて、その全体構成の概略を図面に基づいて説明する。
【００１８】
図１は使用時のインクジェットプリンタの外観を示す斜視図、図２は持ち運び時のインクジェットプリンタの外観を示す斜視図である。図３はＣＤドライブを装着したインクジェットプリンタを示すカバー部材を閉じた状態の斜視図である。また図４は角度調整可能な液晶モニタを搭載したインクジェットプリンタの操作パネルを示す斜め前方からの斜視図、図５は同上、斜め後方からの斜視図である。
【００１９】
尚、ここで説明するインクジェットプリンタ１００は、例えば４×６インチ以下の被液体噴射材の一例である被記録材Ｐ（以下単に用紙Ｐともいう）を対象にした極めてコンパクトで持ち運びが容易な比較的シンプルな構造のインクジェットプリンタである。また、このインクジェットプリンタ１００は、パーソナルコンピュータに接続しなくても直接用紙Ｐに記録の実行ができる、いわゆるダイレクトプリンタと呼ばれているタイプのインクジェットプリンタである。
【００２０】
このインクジェットプリンタ１００は、図１、図２に示すような角箱状の本体ケーシング３を備えている。本体ケーシング３は、該本体ケーシング３の前面、後面、左右の側面及び底面を閉塞する深底容器状のハウジング本体４と、図２に示す持ち運び時の状態では本体ケーシング３の上面を閉塞し、図１に示す使用時の状態では給送用トレイ５の上方に張り出した用紙Ｐの上辺部を支持するペーパーサポートとしても機能するカバー部材６と、図２に示す持ち運び時の状態において上記カバー部材６の下方に位置し、ハウジング本体４の上部開口を閉塞する操作パネル７と、上記ハウジング本体４の前面の一部を開口し、当該前面開口を閉塞するように開閉自在に設けられる前面カバーを兼ねた排出用スタッカ８と、上記ハウジング本体４の左右の側面に対して回動可能な状態で接続される門型をした手提げハンドル９とを備えている。
【００２１】
また、上記本体ケーシング３の下方には、図３に示すようにＣＤドライブ装置２１を取り付けることができ、後述するメモリーカード等から取り込んだ画像等のデータをＣＤ―Ｒ等に保存したり、ＣＤ―Ｒ等に保存された画像等のデータを読み込んで記録の実行ができるようになっている。
【００２２】
そして、上記操作パネル７上には複数の窓部１０ａ、１０ｂ、１０ｃ、・・・１０ｎが設けられており、中央の大きな窓部１０ａには液晶モニタ１１、他の窓部１０ｂ、１０ｃ、・・・１０ｎには各種の操作ボタン１２ａ、１２ｂ、１２ｃ、・・・１２ｎがそれぞれ下方から上方に向けて突出するように取り付けられている。また、操作パネル７の後部の中央部は大きく矩形状に切り欠かれており、該切り欠かれた部分が自動給送ユニット２に対して用紙Ｐを供給するための給送用開口１３になっている。また、排出用スタッカ８は下部の左右のコーナー部に回動支点を備えており、この回動支点を中心にして約９０°の範囲に亘って上下に回動できるようになっている。また、排出用スタッカ８の裏面は、図１に示す使用状態では上面に位置するように構成されており、記録実行後の用紙Ｐを受け取る被液体噴射材受け部の一例である排出用スタッカ８の載置面１４となっている。
【００２３】
また、液晶モニタとしては図４、図５に示すように、後方に倒した水平姿勢と、上方に引き起こした起立姿勢ないし傾斜姿勢とを切り換えることのできる角度調整可能な液晶モニタ２２を採用することも可能である。また、この場合において、図５に示すように液晶モニタ２２の背面側の回動基端縁と、その近傍の操作パネル７上に係合凹部２３と係合凸部２４をそれぞれ設け、これら凸部２４と凹部２３とを当接させて当該液晶モニタ２２の回動上限位置を規定することも可能である。
【００２４】
また、ハウジング本体４の前面開口の上部には、デジタルカメラ等で撮影した画像データを収録したメモリーカード等を挿入するためのメモリーカード用挿入口１５が設けられている。そして、このインクジェットプリンタ１００は、図２に示す持ち運び時の状態では、外部に操作ボタン１２ａ、１２ｂ、１２ｃ、・・・１２ｎや排出用スタッカ８を拡開するための指掛け部等が一切露出しない極めてシンプルですっきりしたデザインの外観となっている。また、この状態ではインクジェットプリンタ１００を動作させることはできず、カバー部材６を拡開させ、本実施例では排出用スタッカ８を拡開させるための操作ボタン１２ｃを押すことによって初めてインクジェットプリンタ１００を動作させることができるように構成されている。
【００２５】
そして、このようにして構成されるインクジェットプリンタ１００に対して用紙Ｐが供給されると、用紙Ｐは給送用開口１３から自動給送ユニット２における給送用トレイ５上に至り、図示しない給送用ローラとホッパとの挟圧送り作用によって最上位の用紙Ｐから順番に用紙搬送経路に向けて給送されるようになる。また、用紙搬送経路に給送された用紙Ｐは記録ポジションに向けて案内され、図示しないプラテンによって下面が支持された状態で図示しない搬送用ローラからの駆動力を受けて搬送される。そして、図示しない記録ヘッドが図示しないキャリッジによって保持された状態で液体の一例であるインクを吐出しながら主走査方向Ｘに往復する動作と、該主走査方向Ｘと直交する副走査方向Ｙ（用紙Ｐの搬送方向と一致する）に所定の搬送量で用紙Ｐを搬送する動作とを相互に繰り返すことによって、用紙Ｐの被記録面全体に亘って所望の記録が実行されるようになっている。また、記録実行後の用紙Ｐは、図示しない排出用ローラからの駆動力を受けて更に用紙搬送方向の下流側に向けて排出され、上述した拡開状態の排出用スタッカ８の載置面１４に至り、保持されるようになっている。
【００２６】
［実施例］
次に、このようなインクジェットプリンタ１００に対して設けられるハウジング本体の支持装置１と、ハウジング本体４の底板部２５に対して適用される本発明のハウジング本体の位置決め装置４０と、ハウジング本体４の底板部２５に取り付けられるＣＤドライブ装置２１について図面に基づいて具体的に説明する。尚、ハウジング本体の支持装置１が適用されるインクジェットプリンタとしては、図１、図２に示す通常のタイプのインクジェットプリンタ１００の他、図３に示すようにＣＤドライブ装置２１等の他の外部付属装置が装着された多機能タイプのインクジェットプリンタ２００が含まれる。また、ハウジング本体の位置決め装置４０が適用されるインクジェットプリンタは、図３に示すＣＤドライブ２１等の外部付属装置や他の外装部品が装着可能なインクジェットプリンタ２００である。
【００２７】
図６はハウジング本体の支持装置を適用したインクジェットプリンタを模式的に示す正面図、図７はハウジング本体の支持装置を適用したインクジェットプリンタの左側のフット周辺を拡大して示す斜視図である。図８は同上、支持部材とハウジング本体との左側の当接部位周辺を拡大して示す分解斜視図、図９は同上、支持部材とハウジング本体の右側の当接部位周辺を拡大して示す分解斜視図である。図１０はＣＤドライブ装置を取り付ける前のハウジング本体の底板部下面側を示す斜視図、図１１はＣＤドライブ装置のカバーケースをハウジング本体の底板部下面に載置した状態を示す斜視図である。図１２はＣＤドライブ装置のカバーケース上に支持フレームを取り付けた状態を示す斜視図、図１３はＣＤドライブ装置取付完了後のハウジング本体の底板部下面側を示す斜視図である。また図１４は本発明のハウジング本体の位置決め装置を適用したハウジング本体とカバーケースの右側の取付部位周辺を拡大して示す縦断正面図である。
【００２８】
（１）ハウジング本体の支持装置の構成と作用効果
ハウジング本体の支持装置１は、インクジェットプリンタ１００の外観を構成するハウジング本体４の底板部２５の下面に一例として４つ設けられるフット２６Ａ、２６Ｂ、２６Ｃ、２６Ｄと、電子機器の動作の実行を司る機構部２０を支持する支持部材としての支持フレーム２７とを備えることによって構成されている。そして、ハウジング本体の支持装置１は、上記各フット２６Ａ、２６Ｂ、２６Ｃ、２６Ｄの設置面に作用するハウジング本体４の荷重点Ｆが上記支持フレーム２７とハウジング本体４の底板部２５との当接面に作用する機構部２０の荷重点Ｇより外側に位置するように配置したことを特徴としている。
【００２９】
支持フレーム２７は、一例として門型をした金属製のフレームによって構成されており、支持フレーム２７とハウジング本体４の底板部２５上面との間には、外部装填部材の一例であるインクカートリッジ２８の収容空間Ｓが形成されている。尚、このインクカートリッジ２８は、水平方向の占有面積が大きく大容量で複数のインク室が一体に形成された一体型のインクカートリッジである。また、支持フレーム２７の左右の側板部２９、３０には、ハウジング本体４の底板部２５における左右の端部に形成されている凹凸係合部３１、３２に当接する凹凸当接部３３、３４が設けられている。
【００３０】
そして、上記凹凸係合部３１、３２と凹凸当接部３３、３４の当接面が機構部２０の荷重点Ｇが作用する当接面となっている。また、上記支持フレーム２７の左右の側板部２９、３０の下端部の一部は、外方に向けて折り曲げられて更に延長形成されており、延長形成された部分が取付部３５、３６になっている。尚、取付部３５、３６には図示しない取付穴が形成されており、取付ネジ３７を使用して支持フレーム２７はハウジング本体４の底板部２５に取り付けられている。従って、支持フレーム２７とハウジング本体４の底板部２５との当接面は、支持フレーム２７とハウジング本体４の底板部２５との取付面とは別個独立して設けられており、上記当接面は上記取付面より内側に配置されている。
【００３１】
そして、このような構成のハウジング本体の支持装置１を適用することによって、ハウジング本体４の底板部２５は、図６において誇張して示すように機構部２０の重さによって中央が低くなるように谷形に撓み変形する。従って、支持フレーム２７の上方に位置する機構部２０は、ハウジング本体４の底板部２５から圧迫を受けることはなく、該圧迫によって生ずる機構部２０の破損や変形あるいは動作不良が防止される。またハウジング本体４や機構部２０の設計においてハウジング本体４の底板部２５の上方への撓み変形を考慮しなくてもよいからハウジング本体４内の空きスペースを極力小さくして、インクジェットプリンタ１００の小型化を図ることができる。
【００３２】
また、ハウジング本体４の底板部２５が中央が低くなるように谷形に撓み変形するから、ハウジング本体４の底板部２５の上面と支持フレーム２７との間に形成されているインクカートリッジ２８の収容空間Ｓの高さ寸法Ｈが狭まることはない。従って、インクカートリッジ２８の出し入れは、支障なく円滑に行われる。また、支持フレーム２７が構造上、支持フレーム２７の取付位置をフット２６Ａ、２６Ｂ、２６Ｃ、２６Ｄの取付位置よりも内側に設定できない場合であっても、上述の凹凸係合部３１、３２、凹凸当接部３３、３４及び取付部３５、３６からなる構成を採用することによって、支持フレーム２７の取付位置を変更することなく、機構部２０の荷重点Ｇが作用する当接面のみをフット２６Ａ、２６Ｂ、２６Ｃ、２６Ｄの取付面より内側に設定することが可能となる。
【００３３】
（２）ハウジング本体の位置決め装置の構成と作用効果及びＣＤドライブ装置の
構成と取付手順
本発明のハウジング本体の位置決め装置４０は、インクジェットプリンタ２００の外観を構成するハウジング本体４が複数のハウジング要素４１、４２を組み合わせることによって形成されており、これらのハウジング要素４１、４２が位置決めピン４３によって位置決めされている場合に適用される。また、ハウジング本体の位置決め装置４０は、位置決めされる一方のハウジング要素であるハウジングミドル部４１に形成されている上記位置決めピン４３と、位置決めされる他方のハウジング要素であるハウジングロア部４２に形成されている位置決め穴４４とによって構成されている。そして、上記位置決めピン４３の内部にはハウジング本体４に対して後付けされる他の外装部品固定用のビス穴４５が位置決めピン４３の基端側端面４６から所定の深さに亘って形成されている。
【００３４】
また、上記外装部品固定用のビス穴４５は、位置決めピン４３の射出成形時の樹脂のヒケを防止する目的で位置決めピン４３の内部に形成される肉盗み用の空洞を利用して設けられている。また、上記ハウジングミドル部４１は、本体ケーシング３の前面、左右の側面及び後面を構成すると共に底面の一部が開口されたハウジング本体４の主要部になっている部材である。一方、上記ハウジングロア部４２は、上記ハウジングミドル部４１の開口された底面の一部を閉塞する部材である。また、本実施例ではハウジング本体４に対して後付けされる外装部品として外部付属装置であるＣＤドライブ装置２１のカバーケース４７を適用している。
【００３５】
ＣＤドライブ装置２１は、ハウジング本体４の下方に取り付けられる偏平角箱状をした部材で天面、前面、後面及び一方の側面を構成する上記カバーケース４７と、該カバーケース４７の天面に内側から宛がわれる金属製平板材料によって一例として形成されている支持フレーム４８と、該支持フレーム４８によって支持されるドライブユニット４９と、上記カバーケース４７の開放された底面を閉塞する底板５０とを備えている。そして、このようにして構成されるＣＤドライブ装置２１は、図１０に示すインクジェットプリンタ２００におけるハウジングミドル部４１の底板部２５に対して取り付けられる。
【００３６】
ハウジングミドル部４１の底板部２５には、フット２６Ａ、２６Ｂ、２６Ｃ、２６Ｄを取り付けるための口径が比較的大きな４つの取付穴５１Ａ、５１Ｂ、５１Ｃ、５１Ｄがコーナー部に設けられている。但し、後述するように、これらの取付穴５１Ａ、５１Ｂ、５１Ｃ、５１Ｄは本実施例では使用しない。また、ハウジングミドル部４１の底板部２５における奥行き方向の中央には、幅方向ほぼ一杯に延びる角穴状の口径の大きな開口５２が形成されており、上記ハウジングロア部４２を取り付けることによって該開口５２が閉塞されるようになっている。また、該開口５２の左右の端部の前後には、ハウジングロア部４２をハウジングミドル部４１に固定する図示しない固定ネジ用の段差状をしたネジ穴５３が４つ設けられており、これらのネジ穴５３の前後に上記ビス穴４５が設けられている。尚、４つずつ設けられるビス穴４５と上記ネジ穴５３を区別する場合には、図１０に示すようにビス穴４５Ａ、４５Ｂ、４５Ｃ、４５Ｄあるいはネジ穴５３Ａ、５３Ｂ、５３Ｃ、５３Ｄとしてこれらを識別する。
【００３７】
カバーケース４７の天面には、上記ネジ穴５３とビス穴４５に対応した位置に４つの角穴状の窓部５４Ａ、５４Ｂ、５４Ｃ、５４Ｄが設けられており、カバーケース４７の開放された側面側の中央にはドライブユニット４９から延びる図示しないケーブルやリード線の通り道となる角穴状の連絡口５５が設けられている。また、支持フレーム４８には、上記ビス穴４５Ａ、４５Ｂ、４５Ｃ、４５Ｄに対応した位置に外装部品固定用の固定ビス５６を受け入れる受入穴５７Ａ、５７Ｂ、５７Ｃ、５７Ｄと、上記連絡口５５に一致する連絡用切欠き５８と、底板５０を取り付けるためのネジ穴が形成されたＬ字状に延びる一例として４つの取付片５９Ａ、５９Ｂ、５９Ｃ、５９Ｄが設けられている。
【００３８】
また、ドライブユニット４９におけるＣＤ−Ｒ等の光ディスクの挿入側には、イジェクトボタン６０とスリット状の光ディスクの挿入取出口６１を備えた化粧パネル６２が設けられている。また、底板５０のコーナー部には、フット２６Ａ、２６Ｂ、２６Ｃ、２６Ｄを取り付けるための取付穴６３Ａ、６３Ｂ、６３Ｃ、６３Ｄと、底板５０を上記支持フレーム４８の取付片５９Ａ、５９Ｂ、５９Ｃ、５９Ｄに形成されたネジ穴と連通する底板５０固定用の４つの固定穴６４Ａ、６４Ｂ、６４Ｃ、６４Ｄと、ドライブユニット４９に固定される４つの取付穴６５Ａ、６５Ｂ、６５Ｃ、６５Ｄが設けられている。尚、ハウジング本体の位置決め装置４０を適用するインクジェットプリンタ２００にあっては、フット２６Ａ、２６Ｂ、２６Ｃ、２６Ｄは、ハウジングミドル部４１に形成されている取付穴５１Ａ、５１Ｂ、５１Ｃ、５１Ｄではなく、ＣＤドライブ２１における底板５０に対して形成されている取付穴６３Ａ、６３Ｂ、６３Ｃ、６３Ｄを使用して取り付けられている。そして、このようにして構成されるＣＤドライブ装置２１は、図１０〜図１３に示す取付手順によってハウジング本体４の底板部２５に取り付けられる。
【００３９】
そして、上記ハウジング本体の位置決め装置４０を適用することによって、位置決めピン４３に対してハウジングミドル部４１にハウジングロア部４２を組み付ける際の位置決めを行うという本来の機能に加えて、ＣＤドライブ装置２１等の外部付属装置をハウジング本体４に取り付ける際の固定手段としての機能を兼用させることが可能になる。また、上記固定手段としてのネジ穴５３を形成するに当たって、成形品の精度を上げるために必要になる肉盗み用の空洞を利用すれば部品の更なる有効利用を図ることができる。
【００４０】
［他の実施例］
本願発明に係るハウジング本体の位置決め装置４０及び該ハウジング本体の位置決め装置４０を備えた記録装置１００等は、以上述べたような構成を基本とするものであるが、本願発明の要旨を逸脱しない範囲内の部分的構成の変更や省略等を行なうことも勿論可能である。例えば、ハウジング本体の支持装置１は、インクジェットプリンタ１００等の記録装置だけでなく、記録装置以外の他の液体噴射装置や、パーソナルコンピュータあるいはビデオデッキ等の種々の電子機器に対して適用することが可能である。このうちビデオデッキに対してハウジング本体の支持装置１を適用した場合には、外部装填部材としてビデオカセットテープを適用することが可能である。また、ハウジング本体の支持装置１は、図３に示すように外部付属装置であるＣＤドライブ装置２１等に対しても適用可能である。この場合には、ハウジング本体４として外装品であるカバーケース４７、機構部２０としてドライブユニット４９、支持部材として支持フレーム４８、底板部２５として底板５０をそれぞれ適用することによってドライブユニット４９の荷重に因ることなく常に円滑にＣＤ−Ｒ等の光ディスクの円滑な挿入及び取り出しが可能となる。
【００４１】
また、本発明のハウジング本体の位置決め装置４０は、インクジェットプリンタ１００等の記録装置だけでなく、記録装置以外の他の液体噴射装置や段積みされたシステムステレオ、複写機等の種々の電子機器に対して適用することが可能である。また、外部付属装置もＣＤドライブ２１に限らず種々の被記録材に対応するための給送装置や自動反転装置等、種々の装置が適用可能である。また位置決めピン４３やビス穴４５の数や配置あるいは形状や大きさは前記実施例のものに限らず適宜、適用する部位の形状や大きさ等に対応して変更することが可能である。
【図面の簡単な説明】
【００４２】
【図１】使用時のインクジェットプリンタの外観を示す斜視図。
【図２】持ち運び時のインクジェットプリンタの外観を示す斜視図。
【図３】ＣＤドライブを装着したインクジェットプリンタの外観を示す斜視図。
【図４】角度調整可能な液晶パネルを搭載した操作パネルを示す斜視図。
【図５】同上、斜め後方からの斜視図。
【図６】ハウジング本体の支持装置を適用したインクジェットプリンタを示す正面図。
【図７】同上、左側のフット周辺を拡大して示す斜視図。
【図８】同上、支持部材とハウジング本体との左側の当接部位周辺を拡大して示す分解斜視図。
【図９】同上、支持部材とハウジング本体との右側の当接部位周辺を拡大して示す分解斜視図。
【図１０】ＣＤドライブ取付前のハウジング本体の底板部下面側を示す斜視図。
【図１１】同上、底板部にＣＤドライブのカバーケースを載置した状態を示す斜視図。
【図１２】同上、カバーケース上に支持フレームを取り付けた状態を示す斜視図。
【図１３】ＣＤドライブ取付完了後のハウジング本体の底板部下面側を示す斜視図。
【図１４】ハウジング本体の位置決め装置を適用したインクジェットプリンタの要部拡大正面図。
【符号の説明】
【００４３】
１  （ハウジング本体の）支持装置、２  自動給送ユニット、３  本体ケーシング、４  ハウジング本体、５  給送用トレイ、６  カバー部材、７  操作パネル、８  排出用スタッカ、９  手提げハンドル、１０ａ、１０ｂ、１０ｃ・・・１０ｎ  窓部、１１  液晶モニタ、１２ａ、１２ｂ、１２ｃ・・・１２ｎ  操作ボタン、１３  給送用開口、１４  載置面、１５  メモリー挿入口、２０  機構部、２１  ＣＤドライブ（外部付属装置）、２２  （角度調整可能な）液晶モニタ、２３  係合凹部、２４  係合凸部、２５  底板部、２６Ａ、２６Ｂ、２６Ｃ、２６Ｄ  フット、２７  支持フレーム（支持部材）、２８  インクカートリッジ、２９  （左側の）側板部、３０  （右側の）側板部、３１  （左側の）凹凸係合部、３２  （右側の）凹凸係合部、３３  （左側の）凹凸当接部、３４  （右側の）凹凸当接部、３５  （左側の）取付部、３６  （右側の）取付部、３７  取付ネジ、４０  （ハウジング本体の）位置決め装置、４１  ハウジングミドル部（ハウジング要素）、４２  ハウジングロア部（ハウジング要素）、４３  位置決めピン、４４  位置決め穴、４５（４５Ａ、４５Ｂ、４５Ｃ、４５Ｄ）  ビス穴、４６  基端側端面、４７  カバーケース（外装部品）、４８  支持フレーム、４９  ドライブユニット、５０  底板、５１Ａ、５１Ｂ、５１Ｃ、５１Ｄ  取付穴、５２  開口、５３（５３Ａ、５３Ｂ、５３Ｃ、５３Ｄ）  ネジ穴、５４Ａ、５４Ｂ、５４Ｃ、５４Ｄ  窓部、５５  連絡口、５６  固定ビス、５７Ａ、５７Ｂ、５７Ｃ、５７Ｄ  受入穴、５８  連絡用切欠き、５９Ａ、５９Ｂ、５９Ｃ、５９Ｄ  取付片、６０  イジェクトボタン、６１  挿入取出口、６２  化粧パネル、６３Ａ、６３Ｂ、６３Ｃ、６３Ｄ  取付穴、６４Ａ、６４Ｂ、６４Ｃ、６４Ｄ  固定穴、６５Ａ、６５Ｂ、６５Ｃ、６５Ｄ  取付穴、１００  インクジェットプリンタ（記録装置）、２００  インクジェットプリンタ（記録装置）、Ｐ  用紙（被記録材）、Ｘ  主走査方向、Ｙ  副走査方向、Ｆ  （ハウジング本体の）荷重点、Ｇ  （機構部の）荷重点、Ｈ  高さ寸法、Ｓ  収容空間
【図１】
0004737424.tif 000002
【図２】
0004737424.tif 000003
【図３】
0004737424.tif 000004
【図４】
0004737424.tif 000005
【図５】
0004737424.tif 000006
【図６】
0004737424.tif 000007
【図７】
0004737424.tif 000008
【図８】
0004737424.tif 000009
【図９】
0004737424.tif 000010
【図１０】
0004737424.tif 000011
【図１１】
0004737424.tif 000012
【図１２】
0004737424.tif 000013
【図１３】
0004737424.tif 000014
【図１４】
0004737424.tif 000015